(57)【要約】【課  題】ドライキャピラリーチューブやストレーナを設置するための設置金具を極力少なくするとともに、ドライキャピラリーチューブやストレーナへの外部からの接触を極力防止することができる熱交換ユニットを提供する。【解決手段】熱交換ユニット（６）は、両管板（３１）間にフィンが複数設けられているとともに、冷媒配管が蛇行して配管されている。そして、両管板間に、ドライキャピラリーチューブ（１９）および、ドライキャピラリーチューブ用のストレーナ（１８）が配設される。また、一方の管板には、ドライキャピラリーチューブ用のストレーナを差し込むためのストレーナ挿入孔（３６）が形成され、他方の管板には、両管板間に配置されたドライキャピラリーチューブを固定するためのキャピラリーチューブ固定孔（４１）が形成されている。【選択図】  図５
2004360939.tif 000002
【特許請求の範囲】
【請求項１】
両管板間にフィンが複数設けられているとともに、冷媒配管が蛇行して配管される熱交換ユニットにおいて、
前記両管板間に、ドライキャピラリーチューブおよび、ドライキャピラリーチューブ用のストレーナが配設されることを特徴とする熱交換ユニット。
【請求項２】
前記ドライキャピラリーチューブは、中央部が略Ｕ字状に折り曲げられているとともに、両端部がこのＵ字部から細長く略直線状に延在していることを特徴としている請求項１記載の熱交換ユニット。
【請求項３】
前記両管板の内の一方の管板に、ドライキャピラリーチューブ用のストレーナを差し込むためのストレーナ挿入孔が形成され、
前記ストレーナがこのストレーナ挿入孔から差し込まれて、両管板間に配置されることを特徴とする請求項１または２記載の熱交換ユニット。
【請求項４】
前記両管板の内の他方の管板には、両管板間に配置されたドライキャピラリーチューブを固定するためのキャピラリーチューブ固定孔が形成されていることを特徴としている請求項１，２または３記載の熱交換ユニット。
【請求項５】
前記ストレーナ挿入孔またはキャピラリーチューブ固定孔の少なくとも一方がパッキンにより塞がれていることを特徴としている請求項１ないし４の何れか１項記載の熱交換ユニット。
【請求項６】
ストレーナ挿入孔には、大径部と小径部とが形成され、
大径部にストレーナが差し込まれ、小径部にドライキャピラリーチューブからの冷媒が流れるキャピラリーチューブ出口側冷媒配管が挿入されることを特徴としている請求項１ないし５の何れか１項記載の熱交換ユニット。
【発明の詳細な説明】
【０００１】
【発明の属する技術分野】
本発明は、空気調和装置などに用いられる熱交換ユニットに関する。
【０００２】
【従来の技術】
従来、空気調和装置などに用いられる熱交換ユニットは、たとえば特許文献１や特許文献２などに記載されており、両管板間にフィンが複数設けられているとともに、冷媒配管が蛇行して配管されている。そして、ドライキャピラリーチューブや、ドライキャピラリーチューブ用のストレーナなどは、管板の外側に配設されている。
【０００３】
【特許文献１】
特公平６−３９９７１号公報
【特許文献２】
特許第３０４３１１２号公報
【０００４】
【発明が解決しようとする課題】
ところで、ドライキャピラリーチューブや、ドライキャピラリーチューブ用のストレーナなどを管板の外側に配設すると、ドライキャピラリーチューブや、ストレーナなどを設置するための設置金具などが別途必要となる。また、取付作業やメンテナンス作業の際などに、ドライキャピラリーチューブや、ドライキャピラリーチューブ用のストレーナなどに外部からものが接触するおそれがある。
【０００５】
本発明は、以上のような課題を解決するためのもので、ドライキャピラリーチューブやストレーナを設置するための設置金具を極力少なくするとともに、外部からの接触を極力防止することができる熱交換ユニットを提供することを目的としている。
【０００６】
【課題を解決するための手段】
本発明の熱交換ユニット（６）は、両管板（３１）間にフィンが複数設けられているとともに、冷媒配管が蛇行して配管されている。そして、両管板間に、ドライキャピラリーチューブ（１９）および、ドライキャピラリーチューブ用のストレーナ（１８）が配設されることを特徴としている。
【０００７】
また、ドライキャピラリーチューブは、中央部が略Ｕ字状に折り曲げられているとともに、両端部がこのＵ字部から細長く略直線状に延在していることがある。
さらに、両管板の内の一方の管板に、ドライキャピラリーチューブ用のストレーナを差し込むためのストレーナ挿入孔（３６）が形成され、ストレーナがこのストレーナ挿入孔に差し込まれ、両管板間に配置されることがある。
【０００８】
そして、両管板の内の他方の管板には、両管板間に配置されたドライキャピラリーチューブを固定するためのキャピラリーチューブ固定孔（４１）が形成されていることがある。
【０００９】
また、ストレーナ挿入孔またはキャピラリーチューブ固定孔の少なくとも一方がパッキン（４３）により塞がれていることがある。
【００１０】
さらに、ストレーナ挿入孔には、大径部と小径部とが形成され、大径部にストレーナが差し込まれ、小径部にドライキャピラリーチューブからの冷媒が流れるキャピラリーチューブ出口側冷媒配管（３２）が挿入されることがある。
【００１１】
【発明の実施の形態】
次に、本発明における熱交換ユニットの実施の一形態を図１ないし図８を用いて説明する。図１は本発明における実施の一形態の熱交換ユニットを内蔵する天井埋込型空気調和装置の斜視図である。図２は空気調和装置の断面図である。図３は空気調和装置の冷媒回路図である。図４は熱交換ユニットの右側面図である。図５は熱交換ユニットの平面図である。図６はドライキャピラリーチューブおよびストレーナの組立部品の説明図である。図７は右側の管板の説明図である。図８は左側の管板の説明図で、（ａ）がドライキャピラリーチューブを固定している状態の図、（ｂ）がその断面図である。
【００１２】
なお、図２において、ドライキャピラリーチューブおよびドライキャピラリーチューブ用のストレーナなどは図示されていない。また、図３において、矢印は除湿運転時の冷媒の流れを示している。さらに、図５において、管板間のフィンおよび冷媒配管は図示が省略されている。そして、図７において、ドライキャピラリーチューブ用のストレーナおよびキャピラリーチューブ出口側冷媒配管が二点鎖線で図示されている。また、図８（ａ）において、パッキンの貼付範囲が細かいドットで示されている。さらに、この明細書において、天井埋込型空気調和装置の長手方向を左右方向としている。すなわち、両管板が並んでいる方向を左右方向としている。
【００１３】
天井埋込型空気調和装置の室内機本体１は天井内に設置されており、この室内機本体１の下端に、吸込口２および吹出口３を具備するグリル枠４が取り付けられている。室内機本体１の内部には、略ハの字状の熱交換ユニット６および、送風機であるクロスフローファン７が設けられている。熱交換ユニット６は吸込口２の上方に配置されている。そして、クロスフローファン７は、略ハの字状の熱交換ユニット６を挟んで一対設けられ、グリル枠４の吸込口２から下方の空気を吸い込んで、この空気を熱交換ユニット６に通した後に、グリル枠４の吹出口３から下方に吹き出している。このクロスフローファン７の特性により、熱交換ユニット６の上部を通過して流れる空気量が、熱交換ユニット６の下部を通過して流れる空気量よりも多くなっている。
【００１４】
空気調和装置の冷媒回路の概略を図３に基づいて説明する。
コンプレッサ１１はガス状の冷媒を圧縮し、四方切換弁１２を介して凝縮器１３に流す。この凝縮器１３で冷却された冷媒は、減圧装置としての電磁弁である絞り弁１４で膨張し、分岐して一対の熱交換器１６に流入する。そして、熱交換器１６で熱交換された冷媒は、合流して、ドライキャピラリーチューブ用のストレーナ１８およびドライキャピラリーチューブ１９を通って再び熱交換器１６に流入する。このストレーナ１８およびドライキャピラリーチューブ１９に並列にバイパス流路２１が設けられ、このバイパス流路２１に、除湿運転切換用の電磁弁２２が設けられている。この電磁弁２２は除湿運転時には閉じて、冷媒をストレーナ１８およびドライキャピラリーチューブ１９に流し、一方、除湿運転ではない場合には、電磁弁２２は開いて、ストレーナ１８およびドライキャピラリーチューブ１９をバイパスして冷媒を流す。
【００１５】
そして、熱交換器１６から再度出てきた冷媒は、四方切換弁１２およびアキュムレータ２４を介してコンプレッサ１１に戻っている。この四方切換弁１２は冷房運転時や除湿運転時には、コンプレッサ１１からの冷媒を凝縮器１３に流すとともに、熱交換器１６からの冷媒をアキュムレータ２４に流している。そして、暖房運転時には四方切換弁１２が切り換えられて、コンプレッサ１１からの冷媒を熱交換器１６に流すとともに、凝縮器１３からの冷媒をアキュムレータ２４に流している。
【００１６】
ところで、前述の熱交換ユニット６には、一対の熱交換器１６、ストレーナ１８、ドライキャピラリーチューブ１９および除湿運転切換用の電磁弁２２などが設けられている。一対の熱交換器１６は略ハの字状に配置されている。図５において、各熱交換器１６は、従来のものと同様に、左右に各々管板３１を具備しており、この両管板３１間にフィン（図示しない）が複数設けられているとともに、冷媒配管（図示しない）が蛇行して配管されている。そして、この実施の形態では、従来のものとは異なり、両管板３１間に、ストレーナ１８およびドライキャピラリーチューブ１９が配設される。ストレーナ１８およびドライキャピラリーチューブ１９の配置位置は、熱交換器１６の下部、すなわち熱交換器１６の真ん中よりも下側である。なお、電磁弁２２は管板３１の外側に配設される。また、ドライキャピラリーチューブ１９は、図６に図示するように、中央部で略Ｕ字状に折り曲げられてＵ字部が形成されているとともに、両端部がこのＵ字部から細長く略直線状に略平行に延在している。
【００１７】
さらに、１個の熱交換器１６の右側の管板３１には、ストレーナ挿入孔３６が形成されている。このストレーナ挿入孔３６は、図７に図示するように、大径部と小径部とを有している。このストレーナ挿入孔３６の大径部は、ストレーナ１８を挿入することができる大きさであり、一方、小径部は、除湿運転時にドライキャピラリーチューブ１９からの冷媒が流れるキャピラリーチューブ出口側冷媒配管３２を挿入することができる大きさであり、ストレーナ１８の径よりも小さく形成されている。また、左側の管板３１には、図８に図示するように、キャピラリーチューブ固定孔４１が一対形成されており、この一対のキャピラリーチューブ固定孔４１に固定手段である結束バンド４２を通して、ドライキャピラリーチューブ１９のＵ字の部分を固定している。この固定後、パッキン４３を貼付して、キャピラリーチューブ固定孔４１の孔を塞いでいる。さらに、ドライキャピラリーチューブ１９およびストレーナ１８の配設部分には、これらの配設の妨げにならないように、管板３１間のフィンはカットされており設けられていない。
【００１８】
このストレーナ１８およびドライキャピラリーチューブ１９の熱交換器１６への組み付け方法は下記の順序で行われる。
まず始めに、図６に図示するように、ストレーナ１８、ドライキャピラリーチューブ１９および電磁弁２２を冷媒配管を介してロウ付けなどにより組み立てて、除湿回路用組立部品を製造する。
【００１９】
ついで、右側の管板３１のストレーナ挿入孔３６から、ドライキャピラリーチューブ１９が接続されているストレーナ１８を差し込んで、ドライキャピラリーチューブ１９およびストレーナ１８を両管板３１間に配置させる。ストレーナ挿入孔３６には、ストレーナ１８への冷媒配管およびキャピラリーチューブ出口側冷媒配管３２が挿入された状態となる。そして、図示しないパッキンでストレーナ挿入孔３６を塞ぐ。
【００２０】
また、両管板３１間に配置されたドライキャピラリーチューブ１９の左端であるＵ字の部分を、前述のように、結束バンド４２で固定し、その後、キャピラリーチューブ固定孔４１をパッキン４３で塞ぐ。この様にして、熱交換器１６に組み付けられる。
【００２１】
前述の様に、上記実施の形態においては、ドライキャピラリーチューブ１９およびストレーナ１８が両管板３１間に配置されているので、管板３１を利用してドライキャピラリーチューブ１９やストレーナ１８を設置することができ、別途設置用金具を設ける必要が減少する。また、両管板３１により保護されるので、ドライキャピラリーチューブ１９やストレーナ１８などに外部から物などが接触することを防止することができる。
【００２２】
また、熱交換用の冷媒配管は、空気の流れが比較的多い熱交換器１６の上部に、熱交換器１６の下部よりも多く配管され、かつ、ドライキャピラリーチューブ１９やストレーナ１８は、空気の流れが比較的少ない熱交換器１６の下部に配設されている。したがって、熱交換器１６の両管板３１間にドライキャピラリーチューブ１９やストレーナ１８を配設したにもかかわらず、熱交換器１６の上部の多数の熱交換用の冷媒配管により、熱交換を効率よく行うことができる。
【００２３】
以上、本発明の実施の形態を詳述したが、本発明は、前記実施の形態に限定されるものではなく、特許請求の範囲に記載された本発明の要旨の範囲内で、種々の変更を行うことが可能である。本発明の変更例を下記に例示する。
（１）熱交換ユニット６には、熱交換器１６が一対設けられているが、その個数や配置などは適宜変更可能である。
【００２４】
（２）熱交換ユニット６は、天井埋込型空気調和装置に用いられているが、他の形式の空気調和装置に採用することも可能である。
（３）右側の管板３１にストレーナ挿入孔３６が、また、左側の管板３１にキャピラリーチューブ固定孔４１が設けられているが、ストレーナ挿入孔３６を左側の管板３１に形成し、キャピラリーチューブ固定孔４１を右側の管板３１に形成することも可能である。
（４）パッキンの取付方法は貼付以外でも可能であり、適宜選択可能である。また、パッキンはストレーナ挿入孔またはキャピラリーチューブ固定孔の両方に取り付けられていることが好ましいが、一方のみに取り付けられることも可能である。
（５）ドライキャピラリーチューブ１９をキャピラリーチューブ固定孔４１に固定する手段は、結束バンド４２以外でも可能である。
【００２５】
【発明の効果】
本発明によれば、両管板間に、ドライキャピラリーチューブおよび、ドライキャピラリーチューブ用のストレーナが配設されるので、管板を利用してドライキャピラリーチューブやストレーナを設置することができ、別途設置金具を用意する必要が減少するとともに、キャピラリーチューブやストレーナに外部から物などが接触することを極力防止することができる。
【００２６】
また、ドライキャピラリーチューブは、中央部が略Ｕ字状に折り曲げられているとともに、両端部がこのＵ字部から細長く略直線状に延在していることがある。この様な場合には、キャピラリーチューブ内の冷媒の流れ抵抗を極力減少させることができる。
【００２７】
さらに、両管板の内の一方の管板に、ドライキャピラリーチューブ用のストレーナを差し込むためのストレーナ挿入孔が形成され、ストレーナがこのストレーナ挿入孔に差し込まれて、両管板間に配置される場合には、ストレーナ挿入孔を利用して、ストレーナを両管板間に配置させることができる。
【００２８】
そして、他方の管板に、ドライキャピラリーチューブを固定するためのキャピラリーチューブ固定孔が形成されている場合には、このキャピラリーチューブ固定孔を利用してキャピラリーチューブを安定した状態で固定することができる。
【００２９】
また、ストレーナ挿入孔やキャピラリーチューブ固定孔がパッキンにより塞がれている場合には、両管板間の空気の流れがストレーナ挿入孔やキャピラリーチューブ固定孔を通って管板の外側に流れだすことを、極力防止することができる。
【００３０】
さらに、ストレーナ挿入孔に大径部と小径部とが形成されている場合には、大径部にストレーナが挿入され、小径部にキャピラリーチューブ出口側冷媒配管が挿入される。したがって、ストレーナとキャピラリーチューブ出口側冷媒配管とを間違って差し込むこと、すなわち逆差し込みを防止することができる。
【図面の簡単な説明】
【図１】図１は本発明における実施の一形態の熱交換ユニットを内蔵する天井埋込型空気調和装置の斜視図である。
【図２】図２は空気調和装置の断面図である。
【図３】図３は空気調和装置の冷媒回路図である。
【図４】図４は熱交換ユニットの右側面図である。
【図５】図５は熱交換ユニットの平面図である。
【図６】図６はドライキャピラリーチューブおよびストレーナの組立部品の説明図である。
【図７】図７は右側の管板の説明図である。
【図８】図８は左側の管板の説明図で、（ａ）がドライキャピラリーチューブを固定している状態の図、（ｂ）がその断面図である。
【符号の説明】
６  熱交換ユニット
１８  ドライキャピラリーチューブ用のストレーナ
１９  ドライキャピラリーチューブ
３１  管板
３２  キャピラリーチューブ出口側冷媒配管
３６  ストレーナ挿入孔
４１  キャピラリーチューブ固定孔
４３  パッキン
【図１】
2004360939.tif 000003
【図２】
2004360939.tif 000004
【図３】
2004360939.tif 000005
【図４】
2004360939.tif 000006
【図５】
2004360939.tif 000007
【図６】
2004360939.tif 000008
【図７】
2004360939.tif 000009
【図８】
2004360939.tif 000010